(57)【要約】【課題】防露パイプから貯蔵室内に流入する熱を低減させ、これにより冷却に要する消費電力を低減させて省エネ効果を向上させる。【解決手段】冷蔵庫１０は、冷蔵冷却器５１に冷媒を流して冷蔵貯蔵室３０，３１を冷却する冷蔵モードと、冷凍冷却器５３に冷媒を流して冷凍貯蔵室３２，３３，３４を冷却する冷凍モードを切り換えて実行する冷蔵庫において、冷蔵貯蔵室３０，３１及び冷凍貯蔵室３２，３３，３４の少なくとも一方の前面開口部の周囲に設けられた防露パイプ６０１，６０２が、三方弁５７の第１出口５７ａ及び第２出口５７ｂの一方側に接続された第１防露パイプ６０を有し、三方弁５７から第１防露パイプ６０に冷媒を供給する際に三方弁５７の弁開度を制御して第１防露パイプ６０の温度を制御する。【選択図】        図３
2020201006.tif 000002
【特許請求の範囲】
【請求項１】
内部に冷蔵貯蔵室と冷凍貯蔵室が設けられた冷蔵庫本体と、
圧縮機と、前記圧縮機から吐出される冷媒を受ける凝縮器と、前記凝縮器の出口側に設けられ流量絞り機能を有する三方弁と、前記三方弁の第１出口側に接続された冷凍減圧装置及び冷凍冷却器と、前記三方弁の第２出口側に接続されかつ前記冷凍減圧装置及び前記冷凍冷却器と並列に設けられた冷蔵減圧装置及び冷蔵冷却器と、前記圧縮機から圧送された冷媒を前記冷蔵冷却器及び前記冷凍冷却器へ流す高温側冷媒流路の一部を構成し前記冷蔵貯蔵室及び前記冷凍貯蔵室の少なくとも一方の前面開口部の周囲に設けられた防露パイプとを有する冷凍サイクルと、
前記冷凍サイクルを制御する制御部とを備え、
前記制御部は、前記冷蔵冷却器に冷媒を流して前記冷蔵貯蔵室を冷却する冷蔵モードと、前記冷凍冷却器に冷媒を流して前記冷凍貯蔵室を冷却する冷凍モードを切り換えて実行する冷蔵庫において、
前記防露パイプは、前記三方弁の前記第１出口及び前記第２出口の一方側に接続された第１防露パイプを有し、
前記制御部は、前記三方弁から前記第１防露パイプに冷媒を供給する際に前記三方弁の弁開度を制御して前記第１防露パイプの温度を制御する冷蔵庫。
【請求項２】
冷蔵庫の設置雰囲気の湿度を検出する湿度センサを備え、
前記制御部は、前記第１防露パイプに冷媒を流すモードの実行中に前記湿度センサで検出された湿度が所定湿度以下であると、前記三方弁の弁開度を小さくすることにより前記第１防露パイプの温度を低下させる請求項１に記載の冷蔵庫。
【請求項３】
前記制御部は、前記第１防露パイプに冷媒を流すモードの実行中に前記圧縮機の運転周波数が所定値以下であると、前記三方弁の弁開度を小さくすることにより前記第１防露パイプの温度を低下させる請求項１に記載の冷蔵庫。
【請求項４】
前記第１防露パイプに冷媒を流すモードの実行によって冷却される貯蔵室の庫内温度を検出する温度センサを備え、
前記制御部は、前記第１防露パイプに冷媒を流すモードの実行中に前記温度センサで検出された庫内温度が所定温度以下であると、前記三方弁の弁開度を小さくすることにより前記第１防露パイプの温度を低下させる請求項１に記載の冷蔵庫。
【請求項５】
前記防露パイプは、前記三方弁の上流側に接続された第２防露パイプを備える請求項１〜４のいずれか１項に記載の冷蔵庫。
【請求項６】
前記冷蔵貯蔵室及び前記冷凍貯蔵室の一方の前面開口部の周囲に前記第１防露パイプが設けられ、他方の前面開口部の周囲に前記第２防露パイプが設けられている請求項５に記載の冷蔵庫。
【請求項７】
前記冷蔵貯蔵室の前面開口部の周囲に前記第１防露パイプが設けられ、前記冷凍貯蔵室の前面開口部の周囲に前記第２防露パイプが設けられている請求項６に記載の冷蔵庫。
【請求項８】
前記防露パイプは、前記三方弁の前記第１出口及び前記第２出口の他方側に接続された第３防露パイプを有する請求項１〜５のいずれか１項に記載の冷蔵庫。
【請求項９】
前記制御部は、前記第１防露パイプに冷媒を流すモードに切り換える時に、前記三方弁の弁開度を小さくすることにより前記第１防露パイプの温度を低下させる請求項１〜４のいずれか１項に記載の冷蔵庫。
【請求項１０】
前記制御部は、前記三方弁の前記第１出口及び前記第２出口の他方側に冷媒を流すモードに切り換える時に、前記三方弁の弁開度を維持又は大きくする請求項１〜４のいずれか１項に記載の冷蔵庫。
【請求項１１】
前記第１防露パイプは、前記三方弁の前記第２出口に接続され、前記冷蔵貯蔵室の前面開口部の周囲に設けられ、
冷蔵庫の設置雰囲気の湿度を検出する湿度センサを備え、
前記制御部は、前記冷凍モードの実行中に前記湿度センサで検出された湿度が所定湿度以下であると、当該冷凍モードの終了後に実行する前記冷蔵モードにおいて、前記湿度センサで検出された湿度に関わらず前記三方弁の弁開度を小さくすることにより前記第１防露パイプの温度を低下させる請求項１〜７のいずれか１項に記載の冷蔵庫。
【発明の詳細な説明】
【技術分野】
【０００１】
本発明の実施形態は、冷蔵庫に関するものである。
【背景技術】
【０００２】
冷蔵庫では、外気と冷蔵庫内との温度差による結露を防止するため、冷蔵庫本体の前面開口部の仕切表面に防露パイプを設け、冷凍サイクル中の圧縮機により圧縮され高温になった冷媒を防露パイプに導入する場合がある。
【０００３】
このような防露パイプを備えた冷蔵庫では、防露パイプ内を流れる冷媒の温度つまり防露パイプの温度が高いと、その熱が貯蔵室内に多く流入し、貯蔵室内の温度が上昇する。すると、上昇した貯蔵室内を冷却するために余分な電力を消費することになり、省エネ効果が阻害されるおそれがあった。
【先行技術文献】
【特許文献】
【０００４】
【特許文献１】特開２０１４−５９４３号公報
【発明の概要】
【発明が解決しようとする課題】
【０００５】
そこで、冷凍サイクルの冷媒が流れるパイプを防露パイプとして用いることで開口周囲の露付を抑制するものにおいて、防露パイプから貯蔵室内に流入する熱を低減させ、これにより冷却に要する消費電力を低減させて省エネ効果を向上させることのできる冷蔵庫を提供する。
【課題を解決するための手段】
【０００６】
本実施形態の冷蔵庫は、内部に冷蔵貯蔵室と冷凍貯蔵室が設けられた冷蔵庫本体と、圧縮機と、前記圧縮機から吐出される冷媒を受ける凝縮器と、前記凝縮器の出口側に設けられ流量絞り機能を有する三方弁と、前記三方弁の第１出口側に接続された冷凍減圧装置及び冷凍冷却器と、前記三方弁の第２出口側に接続されかつ前記冷凍減圧装置及び前記冷凍冷却器と並列に設けられた冷蔵減圧装置及び冷蔵冷却器と、前記圧縮機から圧送された冷媒を前記冷蔵冷却器及び前記冷凍冷却器へ流す高温側冷媒流路の一部を構成し前記冷蔵貯蔵室及び前記冷凍貯蔵室の少なくとも一方の前面開口部の周囲に設けられた防露パイプとを有する冷凍サイクルと、前記冷凍サイクルを制御する制御部とを備え、前記制御部は、前記冷蔵冷却器に冷媒を流して前記冷蔵貯蔵室を冷却する冷蔵モードと、前記冷凍冷却器に冷媒を流して前記冷凍貯蔵室を冷却する冷凍モードを切り換えて実行する冷蔵庫において、前記防露パイプは、前記三方弁の前記第１出口及び前記第２出口の一方側に接続された第１防露パイプを有し、前記制御部は、前記三方弁から前記第１防露パイプに冷媒を供給する際に前記三方弁の弁開度を制御して前記第１防露パイプの温度を制御するものである。
【図面の簡単な説明】
【０００７】
【図１】第１実施形態に係る冷蔵庫の概略構成を示す縦断面図。
【図２】第１実施形態に係る冷蔵庫の冷蔵庫本体の概略構成を示す斜視図。
【図３】第１実施形態に係る冷蔵庫の冷凍サイクルの概略構成を示す図。
【図４】第１実施形態に係る冷蔵庫の電気的構成を示すブロック図。
【図５】第１実施形態に係る冷蔵庫において冷蔵庫本体の左右側壁及び天井壁を展開した状態で第１防露パイプの配置を示す図。
【図６】第２実施形態に係る冷蔵庫の冷凍サイクルを示す図。
【図７】第２実施形態に係る冷蔵庫において冷蔵庫本体の左右側壁及び天井壁を展開した状態で第１防露パイプ及び第２防露パイプの配置を示す図。
【図８】第２実施形態の変更例に係る冷蔵庫の冷凍サイクルを示す図。
【図９】第３実施形態に係る冷蔵庫の冷凍サイクルを示す図。
【図１０】第３実施形態に係る冷蔵庫において冷蔵庫本体の左右側壁及び天井壁を展開した状態で第１防露パイプ及び第３防露パイプの配置を示す図。
【発明を実施するための形態】
【０００８】
（第１実施形態）
以下、図面に基づいて本発明の第１実施形態について説明する。
【０００９】
（１）冷蔵庫１０の構成
本実施形態の冷蔵庫１０は、図１及び図２に示すように、前面に開口する冷蔵庫本体１１の内部に貯蔵空間が形成されている。冷蔵庫本体１１は、左側壁１２、右側壁１３、天井壁１４、底壁１５、及び後壁１６を有する縦長矩形箱状に構成されている。冷蔵庫本体１１には、その前面に、左側壁１２、右側壁１３、天井壁１４、及び底壁１５によって囲まれた開口１１１が形成されている。
【００１０】
冷蔵庫本体１１は、図１に示すように、例えば外箱１７及び合成樹脂製の内箱１８の間に断熱部材１９を設けて構成されている。この例では、外箱１７は、冷蔵庫本体１１の左側壁１２、右側壁１３及び天井壁１４の外面を構成する下方に開口するコ字状に折り曲げられた鋼板に底壁１５及び後壁１６の外面を構成する鋼板が組み付けられ予め箱状に構成されている。
【００１１】
なお、冷蔵庫本体１１は、複数に分割された壁を組み合わせて箱状に構成してもよい。例えば、左側壁１２、右側壁１３、天井壁１４、底壁１５、及び後壁１６をそれぞれ個別に構成した後、組み合わせることで箱状してもよい。断熱部材１９は、例えば発泡ウレタンなど充填式のものや、真空断熱パネルなど予め成形されたもの、又はこれらを併用したものが用いられる。
【００１２】
冷蔵庫本体１１の前面に形成された開口１１１には、複数の枠部材が設けられている。本実施形態では、図２に示すように、上段横枠部材２０、中段横枠部材２１、下段横枠部材２２、及び縦枠部材２３が冷蔵庫本体１１の開口１１１に設けられている。これら枠部材２０〜２３は、例えば鋼板などを折り曲げることにより、背面が閉塞又は開放された角管状に構成されている。
【００１３】
枠部材２０〜２３の内部には、例えば発泡スチロールやスポンジ、発泡ウレタンなどの断熱性を有する部材が設けられている。上段横枠部材２０は、冷蔵庫本体１１の上下方向のほぼ中央部分に設けられ、左側壁１２と右側壁１３とを接続している。中段横枠部材２１は、上段横枠部材２０の下方にあって左側壁１２と右側壁１３とを接続している。下段横枠部材は、中段横枠部材２１の下方にあって左側壁１２と右側壁１３とを接続している。縦枠部材２３は、中段横枠部材２１及び下段横枠部材２２の左右方向のほぼ中央部分にあって、中段横枠部材２１と下段横枠部材２２とを接続している。
【００１４】
中段横枠部材２１の後方には、断熱材を有する断熱仕切板２５が設けられており、冷蔵庫本体１１の内部を上下に異なる温度帯の貯蔵室に仕切っている。この場合、断熱仕切板２５の上方は冷蔵温度帯の貯蔵室に設定され、断熱仕切板２５の下方は冷凍温度帯の貯蔵室に設定されている。
【００１５】
具体的には、冷蔵庫本体１１の内部にあって断熱仕切板２５の上方には、冷蔵温度帯（例えば、１〜６℃）の冷蔵貯蔵室として、上から順に冷蔵室３０、野菜室３１が設けられている。冷蔵室３０と野菜室３１とは、上段横枠部材２０の後方に設けられた樹脂製の仕切板２６によって仕切られている。仕切板２６の後部には、図１に示すように通気口２６１が形成されており、この通気口２６１を介して冷蔵室３０と野菜室３１とが連通している。
【００１６】
冷蔵室３０の背面には、冷蔵室３０の庫内温度を検出する冷蔵室温度センサ４８が設けられており、このセンサ４８の検出温度に基づいて冷蔵室３０及び野菜室３１内の温度が制御される。冷蔵室３０及び野菜室３１は、通常、異なる冷蔵温度帯の温度に設定されている。例えば、冷蔵室３０の維持温度は１〜５℃に設定されており、野菜室３１の維持温度はそれよりやや高い２〜６℃に設定されている。
【００１７】
断熱仕切板２５の下方には、冷凍温度帯（例えば、ー１０〜−２０℃）の冷凍貯蔵室として製氷室３２、上段冷凍室３３、及び下段冷凍室３４が設けられている。製氷室３２及び上段冷凍室３３は、断熱仕切板２５の下方に左右に並べて設けられている。下段冷凍室３４は、製氷室３２及び上段冷凍室３３の下方、つまり冷蔵庫本体１１の最下段に位置している。
【００１８】
下段冷凍室３４の背面には、下段冷凍室３４の庫内温度を検出する冷凍室温度センサ４９が設けられており、このセンサ４９の検出温度に基づいて製氷室３２、上段冷凍室３３及び下段冷凍室３４内の温度が制御される。製氷室３２、上段冷凍室３３及び下段冷凍室３４は、いずれも冷凍温度帯、例えばー１０〜ー２０℃のマイナス温度帯に設定されている。
【００１９】
本実施形態では、冷蔵室３０の前面には、左側壁１２の前端部、右側壁１３の前端部、天井壁１４の前端部、及び上段横枠部材２０に囲まれた前面開口部３０１が形成されている。野菜室３１の前面は、左側壁１２の前端部、右側壁１３の前端部、上段横枠部材２０、及び中段横枠部材２１に囲まれた前面開口部３１１が形成されている。
【００２０】
冷蔵室３０の前面開口部３０１は、ヒンジ開閉式の冷蔵室扉３５によって閉塞されている。冷蔵室扉３５には、冷蔵庫１０の設置雰囲気の湿度を検出する湿度センサ２７と、冷蔵庫１０の設置雰囲気の温度（庫外温度）を検出する庫外温度センサ２８とが設けられている。
【００２１】
野菜室３１の前面開口部３１１は、引出し式の野菜室扉３６によって開閉可能に閉塞されている。野菜室扉３６の背面部には、上下二段に構成された収納容器３７が取付けられている。収納容器３７には、野菜や果物などが収納される。
【００２２】
製氷室３２の前面には、左側壁１２の前端部、中段横枠部材２１、下段横枠部材２２、及び縦枠部材２３に囲まれた前面開口部３２１が形成されている。上段冷凍室３３の前面には、右側壁１３の前端部、中段横枠部材２１、下段横枠部材２２、及び縦枠部材２３に囲まれた前面開口部３３１が形成されている。そして、下段冷凍室３４の前面は、左側壁１２の前端部、右側壁１３の前端部、底壁１５の前端部、及び下段横枠部材２２に囲まれた前面開口部３４１が形成されている。
【００２３】
上段冷凍室３３の前面開口部３３１は、収納容器３８が連結された引出し式の上段冷凍室扉３９によって開閉可能に閉塞されている。下段冷凍室３４の前面開口部３４１は、上下二段の収納容器４０が連結された引出し式の下段冷凍室扉４１によって開閉可能に閉塞されている。また、詳細は図示しないが、製氷室３２の前面開口部３２１も、収納容器が連結された引出し式の製氷室扉によって開閉可能に閉塞されている。
【００２４】
冷蔵庫本体１１には、各貯蔵室を冷却する冷凍サイクル５０（図３参照）が組み込まれている。詳細は後述するが、冷凍サイクル５０は、冷蔵温度帯の貯蔵室である冷蔵室３０、野菜室３１を冷却するための冷蔵冷却器５１と、冷凍温度帯の貯蔵室である製氷室３２、上段冷凍室３３、下段冷凍室３４を冷却するための冷凍冷却器５３とを含んで構成されている。
【００２５】
図１に示すように、冷蔵庫本体１１の外箱１７の外側、この例では、冷蔵庫本体１１の背面下端部には、機械室２９が設けられている。この機械室２９内に、冷凍サイクル５０を構成する圧縮機５５や凝縮器５８（図３参照）及びこれらを冷却するための放熱ファン５６（図４参照）などが配設されている。
【００２６】
冷蔵室３０及び野菜室３１の後部には、エバカバー４２と内箱１８の背面とで前後に区画された冷蔵冷却器室４３と、冷蔵冷却器室４３及び冷蔵室３０を連結する冷蔵ダクト４４が設けられている。冷蔵冷却器室４３には、冷蔵冷却器５１、冷蔵ファン５２等が収納されている。冷蔵ファン５２が、冷蔵冷却器５１で冷却した冷蔵冷却器室４３内の空気を、冷蔵ダクト４４を介して冷蔵室３０及び野菜室３１に供給することで、これらの貯蔵室を冷却する。
【００２７】
製氷室３２、上段冷凍室３３及び下段冷凍室３４の後部には、エバカバー４５と内箱１８の背面とで前後に区画された冷凍冷却器室４６と、製氷室３２、上段冷凍室３３及び下段冷凍室３４と冷凍冷却器室４６とを連結する冷凍ダクト４７とが形成されている。冷凍冷却器室４６には、冷凍冷却器５３、冷凍ファン５４等が収納されている。冷凍ファン５４が、冷凍冷却器５３で冷却した冷凍冷却器室４６内の空気を、冷凍ダクト４７を介して製氷室３２、上段冷凍室３３、下段冷凍室３４に供給することで、これらの貯蔵室を冷却する。
【００２８】
冷蔵庫本体１１の外側、例えば、冷蔵庫本体１１の天井壁１４の上面後部には、冷蔵庫１０を制御するマイコン等を実装した制御装置９０が設けられている。制御装置９０は、マイコン、メモリ等を備え、冷蔵庫１０の動作全般を制御する制御部を構成する。制御装置９０は、図４に示すように、湿度センサ２７、庫外温度センサ２８、冷蔵室温度センサ４８、冷凍室温度センサ４９、冷蔵ファン５２、冷凍ファン５４、圧縮機５５、放熱ファン５６及び三方弁５７が接続されており、各種センサ２７、２８、４８、４９から入力される検出信号と予めメモリに記憶された制御プログラムに基づいて、冷蔵ファン５２、冷凍ファン５４及び放熱ファン５６の回転速度や、圧縮機５５の運転周波数や、三方弁５７等を制御する。
【００２９】
（２）冷凍サイクル５０の構成
次に、冷凍サイクル５０の構成について詳述する。冷凍サイクル５０は、図３に示すように、運転周波数を変えることにより吐出する冷媒量を変更することができる能力可変型の圧縮機５５を備える。圧縮機５５の吐出側５５ａには、凝縮器５８、放熱パイプ５９及び三方弁５７の入口が順次接続されている。
【００３０】
三方弁５７の一方の出口（第１出口）５７ａには、第１防露パイプ（冷凍防露パイプ）６０、キャピラリチューブなどの冷凍減圧装置６１、冷凍冷却器５３及び逆止弁６２が配管により順に接続されている。
【００３１】
三方弁５７の他方の出口（第２出口）５７ｂには、キャピラリチューブなどの冷蔵減圧装置６３及び冷蔵冷却器５１が配管により順に接続されている。冷蔵冷却器５１の出口側は逆止弁６２の出口側が一つになって圧縮機５５の吸入側５５ｂに接続されている。
【００３２】
圧縮機５５の吐出側５５ａから冷凍減圧装置６１及び冷蔵減圧装置６３までに設けられた凝縮器５８、放熱パイプ５９、三方弁５７及び第１防露パイプ６０は、圧縮機５５で吐出された後、冷凍減圧装置６１や冷蔵減圧装置６３で減圧される前の高温の液体冷媒が流通する高温側冷媒流路の一部を構成する。
【００３３】
凝縮器５８は、例えば多数の放熱用フィンを有するフィンチューブで構成され、冷蔵庫本体１１の背面側に設けられている。放熱パイプ５９は、例えば鉄製や銅製など金属製の管からなり、上流側の端部が機械室２９から後壁１６へ進入し外箱１７と接触した状態で後壁１６の内部を引き回されて設けられ、その後、天井壁１４へ進入し外箱１７と接触した状態で天井壁１４の内部を引き回されて設けられている。放熱パイプ５９は、外箱１７を介して庫外の空気と熱交換することで冷凍減圧装置６１や冷蔵減圧装置６３によって減圧される前の高温の液体冷媒を冷却する。放熱パイプ５９は、天井壁１４の内部を引き回された後、機械室２９に進入し三方弁５７に接続される。
【００３４】
三方弁５７は、入口から流れ込んだ冷媒を第１出口５７ａと第２出口５７ｂのいずれ一方へ切り替えて流す切り換え機能と、開度（絞り度合）を変更する流量絞り機能とを兼ねる電子膨張弁からなる。
【００３５】
（３）第１防露パイプ６０
第１防露パイプ６０の上流側の端部は、機械室２９内において三方弁５７の第１出口５７ａに接続されている。そして、第１防露パイプ６０は、図５に示すように、機械室２９から左側壁１２内へ進入した後、冷凍貯蔵室（製氷室３２、上段冷凍室３３及び下段冷凍室３４）の前面開口部の周囲に沿って外箱１７の内側に接触状態で設けられている。これにより、第１防露パイプ６０は、内部を流れる冷媒の熱を外箱１７に伝達することで、冷凍貯蔵室３２，３３，３４の前面開口部の周囲の結露を抑制する冷凍防露パイプとして機能する。
【００３６】
具体的には、第１防露パイプ６０は、三方弁５７の第１出口５７ａに接続された上段冷凍防露パイプ６０１と、上段冷凍防露パイプ６０１の下流側に接続された下段冷凍防露パイプ６０２とから構成されている。上段冷凍防露パイプ６０１及び下段冷凍防露パイプ６０２は、機械室２９においてロウ付けなどによって接続されており、冷蔵庫本体１１の内部で２つの防露パイプ６０１、６０２が分離している。
【００３７】
上段冷凍防露パイプ６０１は、機械室２９から左側壁１２の下端内部に進入した後、上方へ向けて折れ曲がり外箱１７の内側に接しつつ天井壁１４付近に至るまで上方へ向かって延びる。そして、上段冷凍防露パイプ６０１は、左側壁１２の上端部に至ると、前方へ向けて折れ曲がり左側壁１２の上端縁部に沿って前方へ延び、冷蔵庫本体１１の開口１１１付近で下方へ向って折れ曲がる。そして、上段冷凍防露パイプ６０１は、左側壁１２の前端内部を下方へ向って直線的に延びる。このとき、上段冷凍防露パイプ６０１は、左側壁１２の前縁部よりもやや後方に位置している。
【００３８】
そして、上段冷凍防露パイプ６０１は、中段横枠部材２１の高さ位置に至ると、前方へ向けて折れ曲がり左側壁１２の前縁部まで進出する。そして、上段冷凍防露パイプ６０１は、外箱１７の内側に接しつつ再び垂直下方へ向って延び、底壁１５付近に達すると後方へ向けて折れ曲がり左側壁１２の下端部に沿って後方へ延びて、左側壁１２の下後端部から機械室２９内へ進入する。
【００３９】
以上のように上段冷凍防露パイプ６０１は、製氷室３２及び下段冷凍室３４の前面開口部の左縁部に設けられるとともに、左側壁１２にも引き回されて設けられる。そして、上段冷凍防露パイプ６０１は、再び機械室２９に戻って下段冷凍防露パイプ６０２の上流側の端部にロウ付けなどによって接続されている。
【００４０】
下段冷凍防露パイプ６０２は、機械室２９から右側壁１３の下端内部に進入した後、上方へ向けて折れ曲がり外箱１７の内側に接しつつ天井壁１４付近に至るまで上方へ向かって延びる。そして、下段冷凍防露パイプ６０２は、右側壁１３の上端部に至ると、前方へ向けて折れ曲がり右側壁１３の上端縁部に沿って前方へ延び、冷蔵庫本体１１の開口１１１付近で下方へ向って折れ曲がる。そして、下段冷凍防露パイプ６０２は、右側壁１３の前端内部を下方へ向って直線的に延びる。このとき、下段冷凍防露パイプ６０２は、右側壁１３の前縁部よりもやや後方に位置している。
【００４１】
そして、下段冷凍防露パイプ６０２は、中段横枠部材２１の高さ位置に至ると、前方へ向けて折れ曲がり右側壁１３の前縁部まで進出する。そして、下段冷凍防露パイプ６０２は、左方へ向って折れ曲がり中段横枠部材２１の内部へ入る。その後、下段冷凍防露パイプ６０２は、中段横枠部材２１の内部を左方へ向って延び、左側壁１２の手前で折り返し、途中で縦枠部材２３の内部を引き回された後、再び右側壁１３の前端部内に入る。その後、下段冷凍防露パイプ６０２は、下方へ向って折れ曲がり、該右側壁１３の前端部内を下方へ延び、下段横枠部材２２の高さ位置に達すると、左方へ向って折れ曲がり、下段横枠部材２２の内部へ入る。その後、下段冷凍防露パイプ６０２は、下段横枠部材２２の内部を左方へ向って延び、左側壁１２の手前で折り返した後、下段横枠部材２２の内部を右方へ向って延び、再び右側壁１３の前端部内に入る。
【００４２】
その後、下段冷凍防露パイプ６０２は、下方へ向って折れ曲がり、該右側壁１３の前端
縁部に沿って下方へ延びる。そして、下段冷凍防露パイプ６０２は、底壁１５付近に達すると、左方へ向って折れ曲がり、底壁１５の前端部内に入り、底壁１５の前端部内を左方へ向って延び、左側壁１２の手前で折り返した後、底壁１５の前端部内を右方へ向って延び、再び右側壁１３の前端部内に入る。そして、下段冷凍防露パイプ６０２は、右側壁１３の下端部内を後方へ延び、右側壁１３の下後端部か機械室２９へ進入する。機械室２９内に入った下段冷凍防露パイプ６０２は、その下流側の端部が、冷凍減圧装置６１に接続される。
【００４３】
以上のように下段冷凍防露パイプ６０２は、製氷室３２及び下段冷凍室３４の前面開口部の左側縁を除く製氷室３２及び下段冷凍室３４の前面開口部の周囲に沿って外箱１７の内側に接触状態で設けられるとともに、右側壁１３にも引き回されて設けられている。そして、下段冷凍防露パイプ６０２は、製氷室３２及び下段冷凍室３４の前面開口部の左縁部に設けられた上段冷凍防露パイプ６０１と機械室２９において接続され、製氷室３２、上段冷凍室３３及び下段冷凍室３４の前面開口部の周囲において上段冷凍防露パイプ６０１と分離している。
【００４４】
上段冷凍防露パイプ６０１及び下段冷凍防露パイプ６０２を流れた冷媒は、キャピラリチューブからなる冷凍減圧装置６１によって減圧され、その後、冷凍冷却器５３で気化することにより冷凍冷却器５３の温度を低下させる。冷凍冷却器５３から流れ出た冷媒は、圧縮機５５に取り込まれる。
【００４５】
（４）冷蔵庫１０の制御
次に冷蔵庫１０の制御について説明する。
【００４６】
（４−１）冷凍モード及び冷蔵モード
制御装置９０が、冷蔵室温度センサ４８及び冷凍室温度センサ４９によって検出された庫内温度に基づいて、圧縮機５５、冷蔵ファン５２、冷凍ファン５４及び三方弁５７を制御することで、冷凍貯蔵室３２，３３，３４を冷却する冷凍モードと、冷蔵貯蔵室３０，３１を冷却する冷蔵モードと、を交互に切り換えて実行する。
【００４７】
具体的には、冷凍モードを実行する場合、制御装置９０は、圧縮機５５及び冷凍ファン５４を駆動しながら、三方弁５７の入口と第１出口５７ａとを連通するように三方弁５７を切り換える。これにより、凝縮器５８で液化した冷媒を、第１防露パイプ６０及び冷凍減圧装置６１を介して冷却しつつ気化し易いように減圧してから冷凍冷却器５３に供給し、冷凍冷却器室４６の空気を冷却して−２０〜−３０℃程度の冷気を生成する。つまり、本実施形態では、冷凍モードが第１防露パイプ６０に冷媒を流すモードとなる。
【００４８】
そして、生成した冷気は、冷凍ファン５４の回転によって冷凍ダクト４７を介して製氷室３２、上段冷凍室３３及び下段冷凍室３４に供給され、これにより、下段冷凍室３４に設けられた温度センサ４９の検出温度が所定温度になるように、製氷室３２、上段冷凍室３３及び下段冷凍室３４を冷却する。
【００４９】
また、冷蔵モードを実行する場合、制御装置９０は、圧縮機５５及び冷蔵ファン５２を駆動しながら、三方弁５７の入口と第２出口５７ｂとを連通するように三方弁５７を切り換える。これにより、凝縮器５８で液化した冷媒を、冷蔵減圧装置６３を介して気化し易いように減圧してから冷蔵冷却器５１に供給し、冷蔵冷却器室４３の空気を冷却して−１０〜−２０℃程度の冷気を生成する。生成した冷気は、冷蔵ファン５２の回転によって冷凍ダクト４７を介して冷蔵室３０及び野菜室３１に供給され、これにより、冷蔵室３０に設けられた温度センサ４８の検出温度が所定温度になるように、冷蔵室３０及び野菜室３１を冷却する。
【００５０】
（４−２）三方弁５７の制御
三方弁５７は、冷凍モードの実行中に制御装置９０からの制御指令を受けて、第１出口５７ａへ供給する冷媒流量を制御することで、第１出口５７ａから流れ出る冷媒温度を変更する。
【００５１】
具体的には、制御装置９０は、冷凍モードの実行中において、湿度センサ２７で検出される冷蔵庫１０の設置雰囲気の湿度が所定値以下の場合、冷蔵庫１０の設置雰囲気の湿度が所定値を越える場合に比べて三方弁５７の弁開度を小さくする。例えば、制御装置９０は、冷凍モードの実行中において、湿度センサ２７で検出される湿度が所定値を越える場合、三方弁５７の弁開度を全開とし、湿度センサ２７で検出される湿度が所定値以下の場合、三方弁５７の弁開度を小さく変更する。
【００５２】
これにより、三方弁５７における冷媒の圧力低下が大きくなり、設置雰囲気の湿度が所定値を越える場合に比べて、三方弁５７の第１出口５７ａから上段冷凍防露パイプ６０１に供給される冷媒の温度が低下する。その結果、三方弁５７の弁開度を小さくする前に比べて上段冷凍防露パイプ６０１及び下段冷凍防露パイプ６０２の温度が低下する。
【００５３】
三方弁５７の弁開度を変更するタイミングとしては、例えば、湿度センサ２７で検出される湿度が、冷凍モードの実行途中で所定値を越える高湿度から所定値以下の低湿度になった時に弁開度を小さくし、冷凍モードの実行途中で所定値以下の低湿度から所定値を越える高湿度になった時に弁開度を大きくすることができる。
【００５４】
また、冷凍モードの実行直前（例えば、冷蔵モードの実行中や圧縮機５５の停止中）において湿度センサ２７で検出される冷蔵庫１０の設置雰囲気の湿度が所定値以下の場合、三方弁５７の入口と第１出口５７ａとを連通するように三方弁５７を切り換える時、つまり、冷凍モードの開始と同時に弁開度を小さくすることができる。
【００５５】
また、冷凍モードの終了後に冷蔵モードを開始する際（冷凍モードから冷蔵モードへ切り換わる際）に、制御装置９０は、三方弁５７の弁開度を維持又は大きくする。つまり、直前の冷凍モードにおいて弁開度を小さく設定していなければ、冷凍モードを開始してからも同じ弁開度を維持し、直前の冷凍モードにおいて弁開度を小さく設定しれば、冷凍モードの開始と同時に弁開度を大きくする。
【００５６】
（５）効果
以上のような本実施形態の冷蔵庫１０では、三方弁５７によって第１防露パイプ６０に流れる冷媒量を変更することができるため、湿度センサ２７で検出される湿度が所定値を越え結露が生じやすい状況下では、第１防露パイプ６０に高温の冷媒を流通させて冷凍貯蔵室３２，３３，３４の前面開口部の周囲を加熱することができ、結露を防止することができる。また、湿度センサ２７で検出される湿度が所定値以下となり結露が生じにくい状況下では、三方弁５７の弁開度を小さくすることで、結露が生じやすい状況下に比べて第１防露パイプ６０の温度を低下させ、冷凍貯蔵室３２，３３，３４の前面開口部の周縁部が不必要に加熱されるのを抑えることができる。その結果、冷蔵庫１０では、第１防露パイプ６０からの熱流入による冷凍貯蔵室３２，３３，３４の温度上昇を抑制することができ、高い省エネ効果を得ることができる。
【００５７】
また、冷凍モードから冷蔵モードへ切り換わる際に、制御装置９０は、三方弁５７の弁開度を維持又は大きくするため、冷蔵モードにおいて冷蔵冷却器５１に流れる冷媒量を確保することができ、所望の温度に冷蔵貯蔵室３０，３１を冷却することができる。
【００５８】
（第１実施形態の変更例１）
上記した第１実施形態では、第１防露パイプ６０に冷媒を流す冷凍モードの実行中において、湿度センサ２７で検出される冷蔵庫１０の設置雰囲気の湿度が所定値以下であると、三方弁５７の弁開度を小さくする制御（以下、この制御を第１制御ということもある）について説明したが、圧縮機５５の運転周波数に基づいて三方弁５７の開度を制御（以下、この制御を第２制御ということもある）したり、冷凍モードの実行により冷却される貯蔵室３４の庫内温度を検出する冷凍室温度センサ４９の検出値に基づいて三方弁５７の開度を制御（以下、この制御を第３制御ということもある）したりしてもよい。
【００５９】
つまり、第２制御では、冷凍モードの実行中に圧縮機５５の運転周波数が所定値以下の場合、圧縮機５５の運転周波数が所定値を越える場合に比べて三方弁５７の弁開度を小さくする。例えば、制御装置９０は、冷凍モードの実行中において、圧縮機５５の運転周波数が所定値を越える場合、三方弁５７の弁開度を全開とし、圧縮機５５の運転周波数が所定値以下の場合、三方弁５７の弁開度を小さく変更する。
【００６０】
圧縮機５５の運転周波数が高く冷媒流量が大きい場合に三方弁５７の弁開度を小さくすると、三方弁５７における圧力損失が大きくなり、第１防露パイプ６０の温度が下がり過ぎるおそれがあるが、上記第２制御では、圧縮機５５の運転周波数が所定値以下の場合に、三方弁５７の弁開度を小さく変更するため、第１防露パイプ６０の温度が下がり過ぎることがなく、冷凍貯蔵室３２，３３，３４の前面開口部の周囲の結露を抑制することができる。
【００６１】
また、第３制御では、冷凍モードの実行中に冷凍室温度センサ４９が検出する下段冷凍室３４の庫内温度が所定温度以下の場合、当該庫内温度が所定温度より大きい高い場合に比べて三方弁の運転周波数を小さくする。例えば、制御装置９０は、冷凍モードの実行中において、冷凍室温度センサ４９が検出する庫内温度が所定温度を越える場合、三方弁５７の弁開度を全開とし、当該庫内温度が所定温度以下の場合、三方弁５７の弁開度を小さく変更する。
【００６２】
冷凍モードの実行中に下段冷凍室３４の庫内温度が高い場合、通常、圧縮機５５の運転周波数が高く冷媒流量が大きい。そのため、下段冷凍室３４の庫内温度が高い場合に三方弁５７の弁開度を小さくすると、三方弁５７における圧力損失が大きくなり、第１防露パイプ６０の温度が下がり過ぎるおそれがあるが、上記第３制御では、下段冷凍室３４の庫内温度が所定温度以下の場合に、三方弁５７の弁開度を小さく変更するため、第１防露パイプ６０の温度が下がり過ぎることがなく、冷凍貯蔵室３２，３３，３４の前面開口部の周囲の結露を抑制することができる。
【００６３】
なお、上記第２制御や第３制御は、上記した第１制御に換えて実行してもよく、また、上記第１制御とともに実行してもよい。上記第２制御や第３制御を上記第１制御とともに実行する場合、第１制御、第２制御及び第３制御のいずれか１つの制御において、三方弁５７の弁開度を小さくするための条件を満たした場合に三方弁５７の弁開度を小さくしてもよく、第１制御、第２制御及び第３制御のうち任意の２つの制御において三方弁５７の弁開度を小さくするための条件を満たした場合に三方弁５７の弁開度を小さくしてもよく、あるいはまた、全ての制御において三方弁５７の弁開度を小さくするための条件を満たした場合に三方弁５７の弁開度を小さくしてもよい。
【００６４】
また、第２制御において、制御装置９０は、圧縮機５５の運転周波数に応じて三方弁５７の弁開度を制御してもよい。
【００６５】
例えば、第２制御において、制御装置９０は、圧縮機５５の運転周波数が第１所定値Ｃ１を越える場合、三方弁５７の弁開度を全開とし、圧縮機５５の運転周波数が第１所定値Ｃ１以下の場合、三方弁５７の弁開度を小さくし、圧縮機５５の運転周波数が第１所定値Ｃ１より小さい第２所定値Ｃ２（Ｃ２＜Ｃ１）以下の場合、三方弁５７の弁開度を第１所定値Ｃ１の時に比べて更に小さくしてもよい。あるいはまた、第２制御において、制御装置９０は、圧縮機５５の運転周波数が小さくなるにつれて、三方弁５７の弁開度を漸次小さくしてもよい。
【００６６】
また、第３制御において、制御装置９０は、冷凍室温度センサ４９が検出する下段冷凍室３４の庫内温度が第１温度Ｔ１に応じて三方弁５７の弁開度を制御してもよい。
【００６７】
例えば、第３制御において、制御装置９０は、冷凍室温度センサ４９が検出する下段冷凍室３４の庫内温度が第１温度Ｔ１を越える場合、三方弁５７の弁開度を全開とし、庫内温度が第１温度Ｔ１以下の場合、三方弁５７の弁開度を小さくし、庫内温度が第１温度Ｔ１より小さい第２温度Ｔ２（Ｔ２＜Ｔ１）以下の場合、三方弁５７の弁開度を第１温度Ｔ１の時に比べて更に小さくしてもよい。あるいはまた、第３制御において、制御装置９０は、下段冷凍室３４の庫内温度が小さくなるにつれて、三方弁５７の弁開度を漸次小さくしてもよい。
【００６８】
（第１実施形態の変更例２）
上記した第１実施形態では、第１防露パイプ６０が、冷凍貯蔵室３２，３３，３４の前面開口部の周囲に設けられた冷凍防露パイプである場合について説明したが、冷蔵貯蔵室３０，３１の前面開口部の周囲に設けられた冷蔵防露パイプであってもよい。
【００６９】
（第２実施形態）
第２実施形態について、主に図６及び図７に基づいて第１実施形態と異なる部分を中心に説明する。なお、第１実施形態と同一の構成のものについては、同一の符号を付し、詳細な説明を省略する。
【００７０】
上記の第１実施形態では、貯蔵室の前面開口部の周囲を加熱して結露を抑制するための防露パイプを、三方弁５７の第１出口５７ａの下流側のみに配置する場合について説明したが、本実施形態では、三方弁５７の第１出口５７ａの下流側に第１防露パイプ１６０を設けるとともに、三方弁５７の入口の上流側に第２防露パイプ６４を設ける。
【００７１】
具体的には、三方弁５７の入口の上流側に設けられた第２防露パイプ６４は、図５に示す上段冷凍防露パイプ６０１及び下段冷凍防露パイプ６０２と同様の冷凍防露パイプから構成されている。
【００７２】
すなわち、図７に示すように、上段冷凍防露パイプ６０１は、機械室２９から左側壁１２の下端内部に進入した後、製氷室３２及び下段冷凍室３４の前面開口部の左縁部に設けられるとともに、左側壁１２にも引き回されて設けられ、機械室２９に戻って下段冷凍防露パイプ６０２の上流側の端部にロウ付けなどによって接続されている。下段冷凍防露パイプ６０２は、機械室２９から右側壁１３の下端内部に進入した後、製氷室３２、上段冷凍室３３及び下段冷凍室３４の前面開口部の上下縁部及び右縁部に設けられるとともに、右側壁１３にも引き回されて設けられ、右側壁１３の下後端部か機械室２９へ進入する。機械室２９内に入った下段冷凍防露パイプ６０２は、その下流側の端部が、三方弁５７の入口に接続される。
【００７３】
第１防露パイプ１６０は、図７に示すように、機械室２９から左側壁１２内へ進入した後、中段横枠部材２１を除く冷蔵貯蔵室（冷蔵室３０及び野菜室３１）の前面開口部の周囲に沿って外箱１７の内側に接触状態で設けられている。これにより、第１防露パイプ１６０は、内部を流れる冷媒の熱を外箱１７に伝達することで、冷蔵貯蔵室３０，３１の前面開口部の周囲の結露を抑制する冷蔵防露パイプ６０３として機能する。
【００７４】
具体的には、冷蔵防露パイプ６０３は、機械室２９から左側壁１２の下端内部に入り、左側壁１２の下端縁部に沿って前方へ延びる。その後、冷蔵防露パイプ６０３は、左側壁１２の前端部つまり冷蔵庫本体１１の開口１１１付近で上方へ向って折れ曲がる。そして、冷蔵防露パイプ６０３は、左側壁１２の前端内部を該左側壁１２の前端縁部に沿って上方へ向って直線的に延びる。このとき、冷蔵防露パイプ６０３は、左側壁１２の前縁部よりもやや後方に位置し、外箱１７の内側に接している。
【００７５】
その後、冷蔵防露パイプ６０３は、中段横枠部材２１の高さ位置に至ると、前方へ向けて折れ曲がり左側壁１２の前縁部まで進出すると、外箱１７の内側に接しつつ再び垂直上方へ向って延びる。
【００７６】
そして、冷蔵防露パイプ６０３は、上段横枠部材２０の高さ位置に至ると、右方へ向って折れ曲がり、上段横枠部材２０の内部へ進入した後、上段横枠部材２０の前端部内を右方へ向って延び、右側壁１３の手前で折り返して、上段横枠部材２０の前端部内を左方へ向って延び、再び左側壁１２の前端部内に再び進入する。
【００７７】
そして、冷蔵防露パイプ６０３は、上方へ向って折れ曲がり、外箱１７の内側に接しつつ左側壁１２の前端縁部に沿って上方へ延び、天井壁１４に達すると、右方へ向って折れ曲がり水平となって外箱１７の内側に接しつつ天井壁１４の前端縁部に沿って右側壁１３まで延び、その後、下方へ向って折れ曲がり、外箱１７の内側に接しつつ右側壁１３の前端縁部に沿って中段横枠部材２１の高さ位置に至るまで垂直下方へ向って延びる。
【００７８】
そして、冷蔵防露パイプ６０３は、中段横枠部材２１に至ると、後方へ向けて折れ曲がった後、外箱１７の内側に接しつつ再び垂直下方へ向けて延び、底壁１５付近に達した後、右側壁１３の下端部内を延びて、右側壁１３の下後端部から機械室２９内へ進入する。
【００７９】
そして、機械室２９内に入った冷蔵防露パイプ６０３の下流側の端部は、冷蔵減圧装置６３に接続される。
【００８０】
本実施形態では、三方弁５７の上流側に接続された第２防露パイプ６４が、冷凍貯蔵室３２，３３，３４の前面開口部の周囲の結露を抑制する冷凍防露パイプを構成し、三方弁５７の下流側に接続された第１防露パイプ１６０が、冷蔵貯蔵室３０，３１の前面開口部の周囲の結露を抑制する冷蔵防露パイプ６０３として機能する。
【００８１】
これにより、冷蔵貯蔵室３０，３１に比べて前面開口部の周囲に結露が発生しやすい冷凍貯蔵室３２，３３，３４の前面開口部の周囲に比較的高温の冷媒が流れる第２防露パイプ６４が設けられ、冷凍貯蔵室３２，３３，３４の前面開口部の周囲の結露を効果的に抑制することができる。また、冷凍貯蔵室３２，３３，３４に比べて前面開口部の周囲に結露が発生しにくい冷蔵貯蔵室３０，３１の前面開口部の周囲には、三方弁５７の下流側に接続された第１防露パイプ１６０が設けられているため、三方弁５７の弁開度を制御することで第１防露パイプ１６０の温度を変更することができ、冷蔵貯蔵室３０，３１の前面開口部の周囲が不必要に加熱されるのを抑えることができる。
【００８２】
（第２実施形態の変更例１）
上記した第２実施形態では、冷蔵貯蔵室３０，３１の前面開口部の周囲の結露を抑制する冷蔵防露パイプ６０３として機能する第１防露パイプ１６０を、三方弁５７の第１出口５７ａの下流側に設ける場合について説明したが、図８に示すように三方弁５７の第２出口５７ｂの下流側に第１防露パイプ２６０を設けてもよい。
【００８３】
本変更例では、三方弁５７の第２出口５７ｂの下流側に第１防露パイプ２６０が設けられており、冷蔵モードの実行中に冷媒が第１防露パイプ２６０（つまり、冷蔵防露パイプ６０３）を流れるため、結露が発生しやすい時に冷蔵貯蔵室３０，３１の前面開口部の周囲を加熱することができる。
【００８４】
本変更例のように、三方弁５７の第２出口５７ｂに接続された第１防露パイプ２６０を、冷蔵貯蔵室３０，３１の前面開口部の周囲に設ける場合、制御装置９０が次のような制御を実行することができる。
【００８５】
すなわち、制御装置９０は、冷凍モードの実行中に湿度センサ２７で検出された湿度が所定値以下であると、当該冷凍モードの終了後に実行する冷蔵モードにおいて湿度センサ２７で検出された湿度に関わらず、三方弁５７の弁開度を小さくすることにより第１防露パイプ２６０の温度を低下させる。
【００８６】
冷蔵モードの直前に実行した冷凍モードの実行中に湿度センサ２７で検出される湿度が所定値以下であると、冷蔵モードが開始するまでに冷蔵貯蔵室３０，３１の前面開口部の周囲に発生した結露量が少ない。
【００８７】
そのため、冷凍モードの実行中に湿度センサ２７で検出された湿度が所定値以下であると、当該冷凍モードの終了後に実行する冷蔵モードにおいて湿度センサ２７で検出される湿度が所定値を越えたとしても、制御装置９０が三方弁５７の弁開度を小さくして第１防露パイプ２６０の温度を低下させる。これにより、冷蔵貯蔵室３０，３１の前面開口部の周囲が不必要に加熱されるのを抑えることができる。
【００８８】
（第３実施形態）
第３実施形態について、主に図９及び図１０に基づいて第１実施形態と異なる部分を中心に説明する。なお、第１実施形態と同一の構成のものについては、同一の符号を付し、詳細な説明を省略する。
【００８９】
上記の第１実施形態では、貯蔵室の前面開口部の周囲を加熱して結露を抑制するための防露パイプを、三方弁５７の第１出口５７ａの下流側のみに配置する場合について説明したが、本実施形態では、図９に示すように、三方弁５７の第１出口５７ａの下流側に第１防露パイプ３６０を設けるとともに、三方弁５７の第２出口５７ｂの下流側に第３防露パイプ６６を設ける。
【００９０】
具体的には、三方弁５７の第１出口５７ａの下流側に設けられた第１防露パイプ３６０は、図５に示す上段冷凍防露パイプ６０１及び下段冷凍防露パイプ６０２と同様の冷凍防露パイプから構成されている。また、三方弁５７の第２出口５７ｂの下流側に設けられた第３防露パイプ６６は、図７に示す冷蔵防露パイプ６０３と同様の冷蔵防露パイプ６０３から構成されている。
【００９１】
すなわち、図１０に示すように、上段冷凍防露パイプ６０１は、機械室２９から左側壁１２の下端内部に進入した後、製氷室３２及び下段冷凍室３４の前面開口部の左縁部に設けられるとともに、左側壁１２にも引き回されて設けられ、機械室２９に戻って下段冷凍防露パイプ６０２の上流側の端部にロウ付けなどによって接続されている。
【００９２】
下段冷凍防露パイプ６０２は、機械室２９から右側壁１３の下端内部に進入した後、製氷室３２、上段冷凍室３３及び下段冷凍室３４の前面開口部の上下縁部及び右縁部に設けられるとともに、右側壁１３にも引き回されて設けられ、右側壁１３の下後端部か機械室２９へ進入する。機械室２９内に入った下段冷凍防露パイプ６０２は、その下流側の端部が、冷凍減圧装置６１に接続される。
【００９３】
また、冷蔵防露パイプ６０３は、機械室２９から左側壁１２の下端内部に進入した後、中段横枠部材２１を除く冷蔵貯蔵室３０、３１の前面開口部の周囲に沿って外箱１７の内側に接触状態で設けられ、右側壁１３の下後端部か機械室２９へ進入する。機械室２９内に入った冷蔵防露パイプ６０３は、その下流側の端部が、冷蔵減圧装置６３に接続される。
【００９４】
本実施形態では、三方弁５７の第１出口５７ａに、上段冷凍防露パイプ６０１及び下段冷凍防露パイプ６０２を構成する第１防露パイプ３６０が接続され、三方弁５７の第２出口５７ｂに冷蔵防露パイプ６０３を構成する第３防露パイプ６６が接続されている。
【００９５】
これにより、冷凍モードの実行中に上段冷凍防露パイプ６０１及び下段冷凍防露パイプ６０２に冷媒が流れ、冷蔵モードの実行中に冷蔵防露パイプ６０３に冷媒が流れるため、結露が発生しやすい時に冷凍貯蔵室３２，３３，３４や冷蔵貯蔵室３０，３１の前面開口部の周囲を加熱することができる。また、上段冷凍防露パイプ６０１及び下段冷凍防露パイプ６０２や冷蔵防露パイプ６０３は、三方弁５７の出口側に接続されているため、弁開度を調整することで、各防露パイプ６０１，６０２，６０３に流れる冷媒温度を変更することができる。その結果、冷凍貯蔵室３２，３３，３４や冷蔵貯蔵室３０，３１の前面開口部の周囲が不必要に加熱されるのを抑えることができる。
【００９６】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００９７】
１０…冷蔵庫、１１…冷蔵庫本体、２７…湿度センサ、２８…庫外温度センサ、２９…機械室、３０…冷蔵室、３１…野菜室、３２…製氷室、３３…上段冷凍室、３４…下段冷凍室、５０…冷凍サイクル、５１…冷蔵冷却器、５３…冷凍冷却器、５５…圧縮機、５７…三方弁、５７ａ…第１出口、５７ｂ…第２出口、５８…凝縮器、５９…放熱パイプ、６０…第１防露パイプ、６０１…上段冷凍防露パイプ、６０２…下段冷凍防露パイプ、６０３…冷蔵防露パイプ、６１…冷凍減圧装置、６３…冷蔵減圧装置、６４…第２防露パイプ、６６…第３防露パイプ
【図１】
2020201006.tif 000003
【図２】
2020201006.tif 000004
【図３】
2020201006.tif 000005
【図４】
2020201006.tif 000006
【図５】
2020201006.tif 000007
【図６】
2020201006.tif 000008
【図７】
2020201006.tif 000009
【図８】
2020201006.tif 000010
【図９】
2020201006.tif 000011
【図１０】
2020201006.tif 000012